(57)【要約】【課題】端子抜き専用の治具が必要なくかつ簡単に端子金具を取り出すことができるコネクタを提供する。【解決手段】コネクタ１は、端子金具とコネクタハウジング３と孔部５とを備えている。コネクタハウジング３は、端子金具を内部に収容する端子収容室と、端子金具を端子収容室内に係止する係止ランスとを備えている。孔部５は、端子金具の挿入方向Ｓに直交（交差）する方向（コネクタハウジング３の幅方向Ｗ）に沿って端子収容室内を通ってコネクタハウジング３を貫通して設けられている。孔部５は、内部に棒状体６を通して、この棒状体６を、係止ランスが端子金具を係止する初期位置と、係止ランスを弾性変形させて端子金具の係止を解除する係止解除位置と、に亘って移動自在に支持する。【選択図】図１
2010027369.tif 000002
【特許請求の範囲】
【請求項１】
端子金具と、
前記端子金具を内部に収容する端子収容室と、前記端子収容室内に突出しかつ弾性変形自在に設けられて前記端子金具を前記端子収容室内に係止する係止ランスと、を有したコネクタハウジングと、
を備えたコネクタにおいて、
前記端子金具の挿入方向に交差する方向に沿って前記端子収容室内を通って前記コネクタハウジングを貫通して設けられ、かつ、内部に棒状体を通してこの棒状体を、前記係止ランスが前記端子金具を係止する初期位置と、前記係止ランスを弾性変形させて前記端子金具の係止を解除する係止解除位置と、に亘って移動自在に支持する孔部を備えたことを特徴とするコネクタ。
【請求項２】
前記端子収容室が、前記端子金具の挿入方向に交差する方向に沿って並んで複数設けられ、
前記孔部が、これら複数の端子収容室内を通って前記コネクタハウジングを貫通するように設けられたことを特徴とする請求項１に記載のコネクタ。
【請求項３】
前記孔部に連なり、前記棒状体を前記端子収容室の外側に位置付ける逃げ部を備えたことを特徴とする請求項１または請求項２に記載のコネクタ。
【請求項４】
前記孔部の前記コネクタハウジングの外壁を貫通した孔の内面から突出して設けられ、前記棒状体を前記係止解除位置に係止する係止突起を備えたことを特徴とする請求項１ないし請求項３のうちいずれか一項に記載のコネクタ。
【発明の詳細な説明】
【技術分野】
【０００１】
本発明は、端子金具と、端子金具を内部に収容する端子収容室及び該端子収容室内に突出しかつ弾性変形自在に設けられて端子金具を端子収容室内に係止する係止ランスとを有したコネクタハウジングと、を備えたコネクタに関する。
【背景技術】
【０００２】
自動車には多くの電子機器が搭載されており、電子機器はワイヤハーネスを介して自動車や他の電子機器と接続されている。ワイヤハーネスと電子機器とはそれぞれが備えたコネクタ同士が嵌合することによって接続され、ワイヤハーネスは電子機器に電力や制御信号等を伝達する。
【０００３】
このようなコネクタは、端子金具と、コネクタハウジングとを備えている。端子金具は、導電性の板金を折り曲げる等して形成されている。端子金具は、ワイヤハーネスの電線と接続される電線接続部と、相手方のコネクタの端子金具と接続される電気接触部とを備えている。コネクタハウジングは、端子金具を内部に収容する直線孔状の端子収容室と、端子収容室内に突出しかつ弾性変形自在に設けられて端子金具を端子収容室内に係止する係止ランスとを備えている。
【０００４】
前述したコネクタにおいて、例えば端子金具の導通不良等の不具合があった際に端子金具を端子収容室内から取り出すために、コネクタハウジングは抜き治具穴を備えている（例えば、特許文献１参照）。特許文献１に記載されたコネクタにおいて、抜き治具穴は、端子収容室の近傍に、端子収容室に沿った直線孔状に設けられている。抜き治具穴内には、端子金具を係止した係止ランスが位置付けられている。端子金具を端子収容室内から取り出す際には、抜き治具穴に治具を挿入して係止ランスを弾性変形させ、この状態で端子金具を端子金具の挿入方向の反対方向に引っ張る。
【０００５】
前述した治具は、抜き治具穴内に挿入できかつ係止ランスを弾性変形させることができるような形状に形成されており、端子抜き専用の治具として設けられたものである。さらに、特許文献１に記載された治具は、抜き治具穴内に挿入される際に端子収容室を形成する隔壁等を損傷することがないように、抜き治具穴と略等しい断面形状に形成されて、抜き治具穴内で遊びを生じないようなものとされている。
【特許文献１】特開２００１−１６７８３２号公報
【発明の開示】
【発明が解決しようとする課題】
【０００６】
しかしながら、前述した特許文献１に記載されたコネクタにおいては、端子金具を取り出すために端子抜き専用の治具を設ける必要があった。また、端子収容室を複数備えている場合、例えば廃棄時にコネクタを分解する際等にこれら端子収容室内に収容された端子金具をすべて取り出す必要があるときには、取り出し作業をそれぞれの端子収容室ごとに行う必要があり大変な手間がかかっていた。
【０００７】
本発明は、このような問題を解決することを目的としている。即ち、本発明は、端子抜き専用の治具が必要なくかつ簡単に端子金具を取り出すことができるコネクタを提供することを目的としている。
【課題を解決するための手段】
【０００８】
前記課題を解決し目的を達成するために、請求項１に記載された発明は、端子金具と、前記端子金具を内部に収容する端子収容室と、前記端子収容室内に突出しかつ弾性変形自在に設けられて前記端子金具を前記端子収容室内に係止する係止ランスと、を有したコネクタハウジングと、を備えたコネクタにおいて、前記端子金具の挿入方向に交差する方向に沿って前記端子収容室内を通って前記コネクタハウジングを貫通して設けられ、かつ、内部に棒状体を通してこの棒状体を、前記係止ランスが前記端子金具を係止する初期位置と、前記係止ランスを弾性変形させて前記端子金具の係止を解除する係止解除位置と、に亘って移動自在に支持する孔部を備えたことを特徴としたコネクタである。
【０００９】
請求項２に記載された発明は、請求項１に記載されたコネクタにおいて、前記端子収容室が、前記端子金具の挿入方向に交差する方向に沿って並んで複数設けられ、前記孔部が、これら複数の端子収容室内を通って前記コネクタハウジングを貫通するように設けられたことを特徴としたコネクタである。
【００１０】
請求項３に記載された発明は、請求項１または請求項２に記載されたコネクタにおいて、前記孔部に連なり、前記棒状体を前記端子収容室の外側に位置付ける逃げ部を備えたことを特徴としたコネクタである。
【００１１】
請求項４に記載された発明は、請求項１ないし請求項３のうちいずれか一項に記載されたコネクタにおいて、前記孔部の前記コネクタハウジングの外壁を貫通した孔の内面から突出して設けられ、前記棒状体を前記係止解除位置に係止する係止突起を備えたことを特徴としたコネクタである。
【発明の効果】
【００１２】
請求項１に記載された発明によれば、端子金具の挿入方向に交差する方向に沿って端子収容室内を通ってコネクタハウジングを貫通して設けられ、かつ、内部に棒状体を通してこの棒状体を、係止ランスが端子金具を係止する初期位置と係止ランスを弾性変形させて端子金具の係止を解除する係止解除位置とに亘って移動自在に支持する孔部を備えている。このため、孔部内に通された棒状体を初期位置から係止解除位置に移動させることで係止ランスによる係止を簡単に解除して、端子収容室内から端子金具を簡単に取り出すことができる。また、孔部内に通すことができるサイズのものであれば、棒状体として例えば他の用途で用いられる棒状の部材を用いることができ、端子抜き専用の治具が必要ない。
【００１３】
請求項２に記載された発明によれば、端子収容室が端子金具の挿入方向に交差する方向に沿って並んで複数設けられ、孔部がこれら複数の端子収容室内を通ってコネクタハウジングを貫通するように設けられている。このため、棒状体を移動させることで、複数の係止ランスを一斉に弾性変形させて複数の端子金具の係止を一斉に解除できる。したがって、複数の端子収容室内から端子金具を一斉に取り出すことができる。
【００１４】
請求項３に記載された発明によれば、孔部に連なり、棒状体を端子収容室の外側に位置付ける逃げ部を備えているので、端子金具を端子収容室内から取り出す際に棒状体を孔部内から引き抜く必要がなく、端子金具の取り出し時の作業性を向上させることができる。
【００１５】
請求項４に記載された発明によれば、孔部のコネクタハウジングの外壁を貫通した孔の内面から突出して設けられて棒状体を係止解除位置に係止する係止突起を備えているので、端子金具を引っ張る際に係止解除位置に位置付けられた棒状体を押さえておく必要がなく、端子金具の取り出し時の作業性を向上させることができる。
【００１６】
以下、本発明の一実施形態にかかるコネクタを図１ないし図８を参照して説明する。本発明の一実施形態にかかるコネクタ１は、図４等に示すように、端子金具２と、コネクタハウジング３とを備えている。
【００１７】
端子金具２は、導電性の板金をプレス加工して成形されている。端子金具２は、所謂雌型の端子金具である。端子金具２は、図４等に示すように、相手方の端子金具と接続される電気接触部２１と、電線４と接続される電線接続部２２とを一体に備えている。
【００１８】
電線４は、図４等に示すように、芯線４１と、被覆部４２とを備えている。芯線４１は、複数の素線が撚られて形成されている。芯線４１を構成する素線は、銅やアルミニウム等の導電性の金属で構成されている。また、芯線４１は、一本の素線から構成されていてもよい。被覆部４２は、絶縁性の合成樹脂等で構成されている。被覆部４２は、芯線４１の外周面を被覆している。被覆部４２は、電線４の端部において一部が皮剥きされて取り除かれ、芯線４１を露出させている。
【００１９】
電気接触部２１は、筒部２３と、突部２４と、弾性片２５とを備えている。筒部２３は、複数の外壁２３ａ、２３ｂ等を備え、四角筒状に形成されている。筒部２３の電線接続部２２から離れた一端側の開口からは、相手方の端子金具が挿入される。筒部２３の他端側の端は、係止部２６とされている。係止部２６は、複数の外壁２３ａ、２３ｂ等のうち電線接続部２２と連なる外壁２３ａと相対する外壁２３ｂの端である。係止部２６は、コネクタハウジング３の後述する係止ランス３３と係合する。
【００２０】
突部２４は、前述した外壁２３ａから筒部２３の外方向に突出している。突部２４は、コネクタハウジング３の後述する係止溝３２ｂ内に通される。
【００２１】
弾性片２５は、筒部２３の一端側の外壁２３ａの端に連なり、この端から筒部２３の内側かつ他端側（奥側）に向かって延びている。弾性片２５は、弾性変形自在に設けられ、筒部２３内に挿入された相手方の端子金具を筒部２３の外壁２３ｂに向かって付勢して、相手方の端子金具を外壁２３ｂとの間に挟持する。弾性片２５が外壁２３ｂとの間に相手方の端子金具を挟持して、電気接触部２１即ち端子金具２が相手方の端子金具と接続される。
【００２２】
電線接続部２２は、底板部２７と、加締め片２８とを備えている。底板部２７は、帯板状に形成され、筒部２３の外壁２３ａに連なっている。底板部２７には、芯線４１が露出された状態の電線４の端部が載置される。加締め片２８は、底板部２７の幅方向両端に複数設けられている。加締め片２８は、それぞれ、底板部２７に近づく方向に曲げられて底板部２７との間に電線４を挟み、電線４を加締める。加締め片２８が電線４を加締めることで、電線接続部２２即ち端子金具２が電線４と接続される。
【００２３】
コネクタハウジング３は、絶縁性の合成樹脂等で構成されている。コネクタハウジング３は、図１に示すように、ハウジング本体３１と、端子収容室３２と、係止ランス３３（図４）と、孔部５と、ロックアーム３４とを備えている。
【００２４】
ハウジング本体３１は、図２に示すように、複数の外壁３１ａ等を備え、箱状に形成されている。端子収容室３２は、図４に示すように、ハウジング本体３１内に設けられ、端子金具の挿入方向Ｓに沿って直線状に形成されている。端子収容室３２は、両端がハウジング本体３１の外表面に開口した孔（空間）である。端子収容室３２は、一方の開口である挿入口３１ｂから矢印Ｓに沿って端子金具２が挿入され、端子金具２を内部に収容する矢印Ｓは、端子金具の挿入方向Ｓをなしている（なお、図２は、端子収容室３２内に収容された端子金具２を省略して描画されている）。
【００２５】
端子収容室３２は、図４に示すように、突出部３２ａと、係止溝３２ｂとを備えている。突出部３２ａは、端子収容室３２の挿入口３１ｂから離れた内面から突出している。突出部３２ａは、端子収容室３２の内径を端子金具２の筒部２３の外径より僅かに大きくする。
【００２６】
係止溝３２ｂは、前述した突出部３２ａの外表面から凹に設けられている。係止溝３２ｂは、突出部３２ａの挿入口３１ｂ寄りの端部から、端子金具の挿入方向Ｓに沿って一定長形成されている。係止溝３２ｂは、内部に端子金具２の突部２４を通す。係止溝３２ｂの一つの内面は、係止位置に位置付けられた端子金具２の突部２４と端子金具の挿入方向Ｓに沿って当接するように設けられている。
【００２７】
前述した端子収容室３２は、図２に示すように、複数設けられている。これら複数の端子収容室３２は、コネクタハウジング３の幅方向Ｗ（矢印Ｗで示す）に沿った複数の隔壁３５ａ（図４）と、コネクタハウジング３の高さ方向Ｈ（矢印Ｈで示す）に沿った複数の隔壁３５ｂ（図２）とによって互いに区画されている。複数の端子収容室３２の長手方向は、互いに平行である。
【００２８】
複数の端子収容室３２のうち一部（複数、図示例では６つ）の端子収容室３２は、前記幅方向Ｗに沿って互いに並べられている。前記幅方向Ｗに沿って並べられた複数の端子収容室３２は、端子収容室列３６を構成している。なお、この幅方向Ｗは、端子金具の挿入方向Ｓに直交（交差）する方向とされている。
【００２９】
さらに、コネクタハウジング３は、端子収容室列３６を複数（図示例では２つ）備えている。これら端子収容室列３６は、前記矢印Ｈに沿って互いに重ねられている。なお、これら２つの端子収容室列３６のうち図２中の上方から順に、第１の端子収容室列３６ａ、第２の端子収容室列３６ｂと呼ぶ。
【００３０】
係止ランス３３は、それぞれの端子収容室３２に設けられている。係止ランス３３は、図４に示すように、アーム部３３ａと、係止突部３３ｂとを備えている。アーム部３３ａは、隔壁３５ａに連なり、隔壁３５ａから端子金具の挿入方向Ｓに沿って延びた片持ちアーム状に形成されている。アーム部３３ａは、端子収容室３２の外方向に向かって弾性変形自在に設けられている。
【００３１】
係止突部３３ｂは、アーム部３３ａの外表面から端子収容室３２に向かって突出している。係止突部３３ｂのアーム部３３ａの基端寄りの外表面は、アーム部３３ａの基端に向かうにしたがってアーム部３３ａの外表面に近づくように傾斜したテーパ面とされている。係止突部３３ｂのアーム部３３ａの先端寄りの外表面は、端子金具２の前述した係止部２６と係合する係止面とされている。係止突部３３ｂは、アーム部３３ａが弾性変形していない初期状態のとき、端子収容室３２内に突出する。このとき、係止面は、端子金具の挿入方向Ｓに略直交する方向に配される。
【００３２】
前述した係止ランス３３は、端子金具２が端子収容室３２内に挿入されると、端子収容室３２内に突出した係止突部３３ｂが端子金具２に押圧されて、アーム部３３ａが初期状態から弾性変形する。その後、端子金具２が端子収容室３２内の係止位置に位置付けられると、アーム部３３ａが弾性復元力によって初期状態となって係止突部３３ｂが端子金具２の係止部２６と係合し、係止突部３３ｂが再度端子収容室３２内へと突出して端子金具２を端子収容室３２内の係止位置（図４）に係止する。
【００３３】
孔部５は、図２に示すように、前述した第１の端子収容室列３６を通る第１の孔部５ａと、第２の端子収容室列３６を通る第２の孔部５ｂとの２つ設けられている。これら第１の孔部５ａと第２の孔部５ｂとは、それぞれ、内部に棒状体６を通す。なお、図示例では、一例として、第１の孔部５ａのみに棒状体６を通している。
【００３４】
棒状体６は、金属や硬質な合成樹脂等で構成され、図１に示すように、棒状に形成されている。棒状体６の長さは、コネクタハウジング３の前記幅方向Ｗの幅よりも長い。棒状体６の外径は、孔部５内に通すことができる大きさとされている。本実施形態においては、棒状体６の外径は、孔部５ａの幅よりも小さく、後述する係止突起５７の先端と該先端と相対する長孔５３の内面との間隙よりも僅かに大きい。
【００３５】
この棒状体６は、本発明においては端子抜き用の治具として用いられるが、端子抜き専用の治具として設ける必要はなく、例えば他の用途で用いられる棒状の部材等を用いることができる。なお、棒状体６の断面形状は、図示例においては円形状とされているが、三角形状や六角形状等の多角形状であってもよい。
【００３６】
第１の孔部５ａと第２の孔部５ｂとは互いに略同一構造であるので、以下、第１の孔部５ａを代表して説明する。第１の孔部５ａは、図２に示すように、ハウジング本体３１の互いに相対する一対の外壁３１ａをそれぞれ貫通した２つの孔５１と、第１の端子収容室列３６ａの複数の隔壁３５ｂをそれぞれ貫通した５つの孔５２とを備えている。
【００３７】
これら孔５１、５２は、互いに略同形状に形成され、前記幅方向Ｗ方向に沿って並んで設けられている。孔５１、５２は、それぞれ、長孔５３と、長孔５３の一端に連なり長孔５３に直交した短孔５４とを備え、Ｌ字状に形成されている。
【００３８】
長孔５３は、図３及び図４に示すように、端子金具の挿入方向Ｓに沿って延びている。長孔５３は、前記幅方向Ｗからコネクタハウジング３を見た際に、初期状態の係止ランス３３の係止突部３３ｂのテーパ面を露出させる位置に設けられている。
【００３９】
短孔５４は、長孔５３の挿入口３１ｂ寄りの一端に連なり、該一端から端子収容室３２の外方向に延びている。短孔５４は、長孔５３よりも短く、長孔５３と略等しい幅に形成されている。
【００４０】
さらに、ハウジング本体３１の外壁３１ａを貫通した孔５１は、それぞれ、係止突起５７を備えている。係止突起５７は、図３（ｂ）に示すように、孔５１の長孔５３の内面から突出している。係止突起５７は、長孔５３の短孔５４から離れた他端側に設けられ、該他端から少なくとも棒状体６の外径よりも離れた位置に設けられている。さらに、係止突起５７は、その先端と該先端と相対する長孔５３の内面との間隙に、棒状体６を通すことができるように設けられている。この間隙は、係止突起５７即ちコネクタハウジング３が合成樹脂等の可撓性を有する材料で構成されていれば、必ずしも棒状体６の外径よりも大きくなくてもよい。
【００４１】
前述した孔５１、５２が連通することで、第１の孔部５ａが形成されている。即ち、第１の孔部５ａは、前記幅方向Ｗに沿って設けられ、第１の端子収容室列３６ａを通ってコネクタハウジング３を貫通するように設けられている。第１の孔部５ａは、長孔部５５と、逃げ部としての短孔部５６とを備えている。
【００４２】
長孔部５５は、長孔５３が連通することによって形成される部分である。第１の孔部５ａ内に通された棒状体６は、長孔部５５内を移動して後述する初期位置と係止解除位置とに亘って移動自在である。即ち、長孔部５５は、棒状体６を初期位置と係止解除位置に亘って移動自在に支持する。
【００４３】
短孔部５６は、短孔５４が連通することによって形成される部分である。第１の孔部５ａ内に通された棒状体６は、長孔部５５内から短孔部５６へと移動して後述する逃げ位置へと移動自在である。即ち、短孔部５６は、棒状体６を逃げ位置に位置付ける。
【００４４】
初期位置とは、図３及び図４に示すように、棒状体６が、長孔部５５内の短孔部５６寄りの端部に位置付けられた状態である。このとき、棒状体６は、図４に示すように、アーム部３３ａの基端上に位置付けられ、アーム部３３ａ即ち係止ランス３３を弾性変形させない。即ち、このとき、係止ランス３３は、端子金具２を端子収容室３２内に係止している。
【００４５】
係止解除位置とは、図５及び図６に示すように、棒状体６が、長孔部５５内の係止突起５７よりも短孔部５６から離れた端部に位置付けられた状態である。このとき、棒状体６は、図６に示すように、係止ランス３３の係止突部３３ｂ上に位置付けられており、アーム部３３ａ即ち係止ランス３３を弾性変形させる。そして、係止突部３３ｂと端子金具２の係止部２６との係合を解除して、係止ランス３３が端子金具２を係止するのを解除する。
【００４６】
逃げ位置とは、図７及び図８に示すように、棒状体６が、短孔部５６内に位置付けられた状態である。このとき、棒状体６は、図８に示すように、端子収容室３２の外側に位置付けられる。棒状体６が端子収容室３２の外側に位置付けられることによって、棒状体６を孔部５ａ内から引き抜かなくても端子金具２が端子収容室３２内を通り抜けることができ、端子金具２を端子収容室３２内から取り出すことができる。
【００４７】
以上のように、第１の孔部５ａは、孔５１、５２が連通して形成され、内部に通された棒状体６を初期位置と係止解除位置と逃げ位置とに亘って移動自在に支持する。同様に、第２の孔部５ｂは、孔５１、５２が連通して形成され、内部に通された棒状体６を初期位置と係止解除位置と逃げ位置とに亘って移動自在に支持する。
【００４８】
ロックアーム３４は、図１に示すように、ハウジング本体３１の外表面に設けられている。ロックアーム３４は、コネクタ１が相手方のコネクタと嵌合した際に相手方のコネクタのロック部と係合して、コネクタ１と相手方のコネクタとが嵌合した状態を保持する。
【００４９】
前述した構成のコネクタ１を組み立てる際には、まず、端子金具２に電線４を接続した後、この端子金具２を矢印Ｓ方向に沿ってコネクタハウジング３の端子収容室３２内に挿入していく。すると、端子金具２の筒部２３の先端が係止ランス３３の係止突部３３ｂを押圧し、アーム部３３ａを端子収容室３２の外方向に弾性変形させ始める。
【００５０】
さらに端子金具２を挿入していくと、筒部２３が係止突部３３ｂのテーパ面上を摺動していき、アーム部３３ａをさらに弾性変形させていく。そして、端子金具２が係止位置に位置付けられると、筒部２３の外壁２３ｂの端即ち係止部２６が係止突部３３ｂを乗り越え、アーム部３３ａが弾性復元するとともに係止部２６が係止突部３３ｂと係合して、係止ランス３３は端子金具２を端子収容室３２内の係止位置に係止する（図４）。
【００５１】
係止位置に位置付けられた端子金具２は、矢印Ｓ方向の反対方向に引っ張られると、係止部２６が前記反対方向に沿って係止面と当接して端子収容室３２内に係止され、端子収容室３２内から抜け出ることがない。また、この端子金具２は、矢印Ｓ方向に押し込まれても、突部２４が係止溝３２ｂの内面と当接して端子収容室３２内に係止され、端子収容室３２内から飛び出ることがない。
【００５２】
以下、前述のように組み立てられたコネクタ１において、第１の端子収容室列３６ａに収容された端子金具２をそれぞれの端子収容室３２内から取り出す手順について説明する。まず、棒状体６を第１の孔部５ａ内に通して初期位置に位置付ける（図１、図３及び図４）。そして、この棒状体６を矢印Ｓ方向に移動させて、初期位置から係止解除位置へと移動させていく。すると、棒状体６が第１の端子収容室列３６ａ内のそれぞれの係止ランス３３の係止突部３３ｂを一斉に図４中の下側に押圧し、アーム部３３ａを端子収容室３２の外方向に弾性変形させ始める。
【００５３】
さらに棒状体６を移動させていくと、棒状体６はそれぞれの係止突部３３ｂのテーパ面上を摺動していき、アーム部３３ａをさらに弾性変形させていく。そして、棒状体６が係止突起５７を乗り越えて係止解除位置に位置付けられると、該棒状体６は係止突起５７によって係止解除位置に保持される。そして、このとき、アーム部３３ａが十分に弾性変形して係止突部３３ｂが筒部２３の外壁２３ｂよりも下側に押し下げられて、係止突部３３ｂのテーパ面上に係止部２６が乗り上げる。即ち、それぞれの係止ランス３３と係止部２６との係合が一斉に解除される（図５及び図６）。
【００５４】
この状態で、第１の端子収容室列３６ａに収容された複数の端子金具２を矢印Ｓ方向の反対方向に引っ張ると、端子金具２は矢印Ｓ方向に僅かに移動した後に棒状体６に当接する。その後、棒状体６を前記反対方向に移動させて逃げ位置に位置付け、端子収容室３２外に位置付ける。そして、再び端子金具２を前記反対方向に引っ張っていき（図７及び図８）、端子金具２を端子収容室３２内から完全に取り出す。
【００５５】
本実施形態によれば、前記幅方向Ｗに沿って端子収容室３２内を通ってコネクタハウジング３を貫通して設けられ、かつ、内部に棒状体６を通してこの棒状体６を、係止ランス３３が端子金具２を係止する初期位置と係止ランス３３を弾性変形させて端子金具２の係止を解除する係止解除位置とに亘って移動自在に支持する孔部５を備えている。このため、孔部５内に通された棒状体６を初期位置から係止解除位置に移動させることで係止ランス３３による係止を簡単に解除して、端子収容室３２内から端子金具２を簡単に取り出すことができる。また、孔部５内に通すことができるサイズのものであれば、棒状体６として例えば他の用途で用いられる棒状の部材を用いることができ、端子抜き専用の治具が必要ない。
【００５６】
端子収容室３２が前記幅方向Ｗに沿って並んで複数設けられ、孔部５がこれら複数の端子収容室３２内を通ってコネクタハウジング３を貫通するように設けられている。このため、棒状体６を移動させることで、複数の係止ランス３３を一斉に弾性変形させて複数の端子金具２の係止を一斉に解除できる。したがって、複数の端子収容室３２内から端子金具２を一斉に取り出すことができる。
【００５７】
孔部５に連なり棒状体６を端子収容室３２の外側に位置付ける短孔部５６を備えているので、端子金具２を端子収容室３２内から取り出す際に棒状体６を孔部５から引き抜く必要がなく、端子金具２の取り出し時の作業性を向上させることができる。
【００５８】
孔部５のハウジング本体３１の外壁３１ａを貫通した孔５１の内面から突出して設けられて棒状体６を係止解除位置に係止する係止突起５７を備えているので、端子金具２を引っ張る際に係止解除位置に位置付けられた棒状体６を押さえておく必要がなく、端子金具２の取り出し時の作業性を向上させることができる。
【００５９】
前述した実施形態においては、孔部５は短孔部５６を備えていたが、端子金具２を取り出す際に孔部５から棒状体６を引き抜く必要があるものの、短孔部５６を必ずしも備えていなくてもよい。また、前述した実施形態においては、棒状体６を係止解除位置に係止する係止突起５７を備えていたが、棒状体６を押さえながら端子金具２を引っ張る必要があるものの、係止突起５７を必ずしも備えていなくてもよい。
【００６０】
また、前述した実施形態においては、コネクタ１は端子収容室３２が６つ並んだ端子収容室列３６を２つ備えていたが、端子収容室列３６中の端子収容室３２の数や端子収容室列３６の数は何ら制限されることはない。
【００６１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６２】
【図１】本発明の一実施形態にかかるコネクタを示す斜視図である。
【図２】図１中のＩＩ−ＩＩ線に沿った断面図である。
【図３】（ａ）図１に示されたコネクタの側面図である。（ｂ）図３（ａ）中の３Ｂ部分の拡大図である。
【図４】図３に示されたコネクタの図１中のＡ−Ａ線に沿った断面図である。
【図５】（ａ）棒状体が係止解除位置に位置付けられた状態のコネクタの側面図である。（ｂ）図５（ａ）中の５Ｂ部分の拡大図である。
【図６】図５に示されたコネクタの図１中のＡ−Ａ線に沿った断面図である。
【図７】（ａ）棒状体が逃げ位置に位置付けられた状態のコネクタの側面図である。（ｂ）図７（ａ）中の７Ｂ部分の拡大図である。
【図８】図７に示されたコネクタの図１中のＡ−Ａ線に沿った断面図である。
【符号の説明】
【００６３】
１    コネクタ
２    端子金具
３    コネクタハウジング
５    孔部
６    棒状体
３１ａ    外壁
３２    端子収容室
３３    係止ランス
５１    孔
５６    短孔部（逃げ部）
５７    係止突起
Ｓ    端子金具の挿入方向
Ｗ    コネクタハウジングの幅方向
【図１】
2010027369.tif 000003
【図２】
2010027369.tif 000004
【図３】
2010027369.tif 000005
【図４】
2010027369.tif 000006
【図５】
2010027369.tif 000007
【図６】
2010027369.tif 000008
【図７】
2010027369.tif 000009
【図８】
2010027369.tif 000010